(57)【要約】【課題】取り付け時に正規の取り付け角度となる位置が容易に分かるグロメットを提供する。【解決手段】大径部５にライン９を設ける。このライン９は、グロメット３のパネル孔２に対する取り付け作業の際に水平軸Ｌ３に略一致するように設ける。ライン９は、印刷によりなっている。ライン９は、グロメット３のパネル孔２に対する取り付け作業の際に、作業者が十分に認識することができる太さ、長さの線状部分として設ける。ライン９は、大径部５の外周縁部から小径部６の連続部分まで真っ直ぐに設ける。ライン９は、鉛直軸に略一致するように設けてもよい。ライン９に替えて、ラインをイメージできる複数のドットにしてもよい。【選択図】図１
2007151375.tif 000002
【特許請求の範囲】
【請求項１】
ワイヤハーネスを挿通する小径部と、該小径部に連続するとともにパネル孔に嵌着する大径部とを有するグロメットにおいて、
前記大径部又は前記小径部、或いは前記大径部及び前記小径部に、水平軸又は鉛直軸、或いは水平軸及び鉛直軸に略一致するライン又は複数のドットを設ける
ことを特徴とするグロメット。
【請求項２】
請求項１に記載のグロメットにおいて、
前記ライン又は前記複数のドットを印刷にて設ける
ことを特徴とするグロメット。
【発明の詳細な説明】
【技術分野】
【０００１】
本発明は、ワイヤハーネスを挿通した状態で長穴のパネル孔に嵌着するグロメットに関する。
【背景技術】
【０００２】
車両パネルには、ワイヤハーネスを挿通するためのパネル孔が形成されている。このパネル孔には、ワイヤハーネスとの間をシール、遮音、及び電気絶縁するための弾性を有するグロメットが取り付けられるようになっている。
【０００３】
従来よりグロメットに関する提案は数多くあり、例えば、円形のパネル孔の近傍に三角形の印を設け、グロメットにはこのグロメットを回転させながら取り付ける際の位置合わせ用として同じく三角形の印を設ける例などが知られている（例えば特許文献１参照）。
【特許文献１】特開２００３−１６４０４２号公報  （第４頁、第１図）
【発明の開示】
【発明が解決しようとする課題】
【０００４】
パネル孔が長穴又は楕円形の場合に、これに嵌着するグロメットの大径部は、パネル孔の形状に合わせた嵌着部分を有するように形成されている。これは特に防水性に配慮するためであり、上記のような嵌着部分を有するグロメットの取り付け作業においては、水平軸及び鉛直軸と、パネル孔や大径部（嵌着部分）の長径軸及び短径軸とが不一致になる取り付け角度の場合に、次のような問題点を有している。すなわち、パネル孔が見えない状態で作業を行うと、グロメットの正規の取り付け角度となる位置が分からず、結果、作業性に影響を来してしまうという問題点を有している。
【０００５】
その他、従来例の三角形の印では見難いのは勿論のこと、この印をもとにワイヤハーネスの導出方向を規制することは困難であるという問題点を有している。
【０００６】
本発明は、上述した事情に鑑みてなされたもので、取り付け時に正規の取り付け角度となる位置が容易に分かるグロメットを提供することを課題とする。また、ワイヤハーネスの導出方向を規制し易いグロメットを提供することを課題とする。
【課題を解決するための手段】
【０００７】
上記課題を解決するためになされた請求項１記載の本発明のグロメットは、ワイヤハーネスを挿通する小径部と、該小径部に連続するとともに長穴又は楕円形のパネル孔に嵌着する非円形の大径部とを有するグロメットにおいて、前記大径部又は前記小径部、或いは前記大径部及び前記小径部に、水平軸又は鉛直軸、或いは水平軸及び鉛直軸に略一致するライン又は複数のドットを設けることを特徴としている。
【０００８】
このような特徴を有する本発明によれば、パネル孔が見えない状態となる作業であっても、ライン又は複数のドットの位置に基づいてグロメットを正規の位置に取り付けすることが可能となる。複数のドットは、作業者がこれらを結ぶラインをイメージすることができるような点であるものとする。本発明によれば、ワイヤハーネスの導出方向を規制したい場合に、片側ラインの存在が有効になる。
【０００９】
請求項２記載の本発明のグロメットは、請求項１に記載のグロメットにおいて、前記ライン又は前記複数のドットを印刷にて設けることを特徴としている。このような特徴を有する本発明によれば、グロメットの成形金型を変更せずに取り付け角度に応じたライン又は複数のドットを設けることが可能になる。
【発明の効果】
【００１０】
請求項１に記載された本発明によれば、取り付け時に正規の取り付け角度となる位置が容易に分かるという効果を奏する。従って、作業性が向上するという効果を奏する。また、本発明によれば、ワイヤハーネスの導出方向を規制し易いという効果も奏する。
【００１１】
請求項２に記載された本発明によれば、取り付け角度に応じたラインを設けることができるという効果を奏する。従って、汎用性のあるグロメットを提供することができるという効果を奏する。
【発明を実施するための最良の形態】
【００１２】
以下、図面を参照しながら説明する。図１は本発明のグロメットの一実施の形態を示す斜視図である。
【００１３】
図１において、引用符号１は例えば車両パネル、引用符号２はこの車両パネル１の表裏を貫通するパネル孔、引用符号３はワイヤハーネス４を挿通した状態でパネル孔２に嵌着する本発明のグロメットをそれぞれ示している。
【００１４】
パネル孔２は、長穴形状（又は楕円形状）に形成されている。パネル孔２は、この長径軸Ｌ１及び短径軸Ｌ２が水平軸Ｌ３及び鉛直軸Ｌ４に対して不一致、言い換えれば所定の角度で傾くように形成されている。
【００１５】
グロメット３は、ゴム又はエラストマー製の弾性を有するものであって、全体の中で一番径の大きな大径部５と、この大径部５に連続する小径部６と、小径部６に連続する蛇腹部７とを有している（蛇腹部７の形成は任意であるものとする。蛇腹部７を小径部６の一部としてもよいものとする）。大径部５には、パネル孔２に嵌着する嵌着部分８が形成されている。この嵌着部分８は、パネル孔２の形状に合わせて長穴形状（又は楕円形状）に形成されている。大径部５及び嵌着部分８は、この長径軸Ｌ５及び短径軸Ｌ６が水平軸Ｌ３及び鉛直軸Ｌ４に対して不一致、言い換えれば所定の角度で傾くように形成されている。
【００１６】
大径部５には、ライン９が設けられている。このライン９は、グロメット３のパネル孔２に対する取り付け作業の際に水平軸Ｌ３に略一致するように設けられている。ライン９は、印刷、刻印、或いは大径部５に一体成形される突条、凹部などのいずれかによりなっている（取り付け角度に応じて変更が可能な印刷が好ましいものとする）。
【００１７】
ライン９は、グロメット３のパネル孔２に対する取り付け作業の際に、作業者が十分に認識することができる太さ、長さの線状部分として設けられている。ライン９は、本形態において、大径部５の外周縁部から小径部６の連続部分まで真っ直ぐに設けられている（ライン９は小径部６の例えば先端まで長く伸ばしてもよいものとする。或いは、小径部６のみに設けてもよいものとする）。ライン９は、正規の取り付け角度となる位置を作業者に容易に分からせるために有用な部分として設けられている。
【００１８】
小径部６は、ワイヤハーネス４の径に合わせて形成されている。小径部６は、この内面にワイヤハーネス４が密着するように形成されている。図１中はワイヤハーネス４が挿通された状態を示している。蛇腹部７は、本形態において、小径部６よりも径が大きくなるように形成されている。
【００１９】
上記構成において、パネル孔２が仮に見えない状態で取り付け作業を行う場合を考えると、ライン９を水平軸Ｌ３に略一致させるような格好で取り付け作業を行えばグロメット３を簡単にパネル孔２に取り付けすることができる。
【００２０】
本発明のグロメット３の場合、パネル孔２が見えなくても、また、パネル孔２に従来のような目印を設けなくても、容易に正規の取り付け角度となる位置に取り付けすることができる。本発明のグロメット３の場合、取り付け後に正規の取り付け角度となる位置に取り付けたかどうかを容易に確認することもできる（ライン９は、従来例の単なる印一つのみの場合と比べて回転方向のズレを判断することができるようになる）。本発明のグロメット３は、作業性の向上に寄与することができる。
【００２１】
次に、図２を参照しながら本発明のグロメットの他の一実施の形態を説明する。図２は他の一実施の形態を示す斜視図である。
【００２２】
図２において、グロメット３は、上述の形態と比べると、ライン９の位置のみが異なっている。すなわち、ライン９は、鉛直軸Ｌ４に略一致するように設けられている。従って、パネル孔２が仮に見えない状態で取り付け作業を行う場合を考えると、ライン９を鉛直軸Ｌ４に略一致させるような格好で取り付け作業を行えばグロメット３を簡単にパネル孔２に取り付けすることができる。
【００２３】
続いて、図３を参照しながら本発明のグロメットの更に他の一実施の形態を説明する。図３は更に他の一実施の形態を示す斜視図である。
【００２４】
図３において、グロメット３は、上述の形態におけるライン９に替えて複数のドット１０を設けている点のみが異なっている。複数のドット１０は、作業者がこれらを結ぶラインをイメージすることができるような点として設けられている。また、取り付け作業の際に、水平軸Ｌ３に略一致するように設けられている（鉛直軸Ｌ４に略一致するように設けてもよいものとする）。
【００２５】
図３中では、小径部６の両側に三つずつ並ぶように複数のドット１０が設けられている（数は一例であるものとする）。各ドット１０は、印刷、刻印、或いは大径部５に一体成形される突起、凹部などのいずれかによりなっている（取り付け角度に応じて変更が可能な印刷が好ましいものとする）。各ドット１０は、図中の平面視円形状の他に、矩形の形状も可能であるものとする（例えば正方形や長方形。作業者がラインをイメージできればドット１０の平面視形状は特に限定されないものとする）。
【００２６】
上記構成において、パネル孔２が仮に見えない状態で取り付け作業を行う場合を考えると、複数のドット１０を水平軸Ｌ３に略一致させるような格好で取り付け作業を行えばグロメット３を簡単にパネル孔２に取り付けすることができる。複数のドット１０は、従来例の単なる印一つのみの場合と比べて回転方向のズレを判断し易くすることができる。
【００２７】
続いて更に、図４を参照しながら図３のグロメットの変形例を説明する。図４は変形例を示す平面図である。
【００２８】
図４において、グロメット３は、小径部６が折れ曲がった形状に形成されている。すなわち、小径部６が大径部５に対して部分的に平行となるように形成されている。変形例での複数のドット１０は、図示のように、大径部５及び小径部６に跨って設けられている（平面的に見れば複数のドット１０でラインをイメージすることができる）。変形例での複数のドット１０は、取り付け作業の際に、鉛直軸Ｌ４に略一致するように設けられている。
【００２９】
以上、図１ないし図４を参照しながら説明してきたように、本発明によれば、ライン９又は複数のドット１０を設けることによって、取り付け時に正規の取り付け角度となる位置が容易に分かるという効果を奏する。従って、作業性が向上するという効果を奏する。
【００３０】
その他、本発明は本発明の主旨を変えない範囲で種々変更実施可能なことは勿論である。
【００３１】
すなわち、上述の形態ではパネル孔を長穴形状（又は楕円形状）、大径部や嵌着部分も長穴形状（又は楕円形状）に形成した説明であったがこの限りではないものとする。例えば真円形状（ほぼ円形も含む）であってもよいものとする。
【００３２】
本発明のラインや複数のドットの存在は、ワイヤハーネスの導出方向を規制したい場合に、言い換えれば希望の方向にワイヤハーネスを導出したい場合にも有効になる。
【図面の簡単な説明】
【００３３】
【図１】本発明のグロメットの一実施の形態を示す斜視図である。
【図２】本発明のグロメットの他の一実施の形態を示す斜視図である。
【図３】本発明のグロメットの更に他の一実施の形態を示す斜視図である。
【図４】図３のグロメットの変形例を示す平面図である。
【符号の説明】
【００３４】
１  車両パネル
２  パネル孔
３  グロメット
４  ワイヤハーネス
５  大径部
６  小径部
７  蛇腹部
８  嵌着部分
９  ライン
１０  ドット
Ｌ１  長径軸
Ｌ２  短径軸
Ｌ３  水平軸
Ｌ４  鉛直軸
Ｌ５  長径軸
Ｌ６  短径軸
【図１】
2007151375.tif 000003
【図２】
2007151375.tif 000004
【図３】
2007151375.tif 000005
【図４】
2007151375.tif 000006